(57)【特許請求の範囲】
【請求項１】
ユーザの生体情報の測定結果に基づいて算出される、自律神経の働きを示す働き指標の値とバランスを示すバランス指標の値とを取得する指標取得部と、
前記働き指標の値に基づいて前記測定結果に対応する状態図形の大きさを決定する大きさ決定部と、
前記バランス指標の値に基づいて前記状態図形の外形形状を決定する外形形状決定部と、
前記大きさと前記外形形状とに基づいて前記状態図形を描画する描画部と、
前記描画部が描画した画像を表示する表示部と、
を有し、
前記外形形状決定部は、前記バランス指標が悪いバランスを示すほど凹凸度が高くなるよう前記外形形状を決定することを特徴とするコンピュータ。
【請求項２】
前記外形形状決定部は、前記バランス指標が悪いバランスを示すほど苛辣性が高くなるよう前記外形形状を決定することを特徴とする、請求項１に記載のコンピュータ。
【請求項３】
前記バランス指標の値が小さいほど自律神経のバランスがより良いことを示す場合、
前記外形形状決定部は、前記バランス指標の値と負の相関を有するよう前記状態図形の外形形状における凸部の内角の角度を決定することを特徴とする、請求項１又は２に記載のコンピュータ。
【請求項４】
前記状態図形の表示の変化を決定する変化決定部をさらに有し、
前記変化決定部は、前記バランス指標の値と正の相関を有するよう表示の変化の頻度を決定し、
前記描画部は、前記変化決定部の決定する表示の変化の内容に基づいて前記状態図形を描画することを特徴とする、請求項１〜３の何れか一項に記載のコンピュータ。
【請求項５】
前記働き指標の値が大きいほど自律神経の働きがより強いことを示す場合、
前記外形形状決定部は、前記働き指標の値と正の相関を有するよう前記状態図形の大きさを決定することを特徴とする、請求項１〜４の何れか一項に記載のコンピュータ。
【請求項６】
前記描画部は、前記状態図形に対応するユーザの生体情報の測定時点に基づいて前記状態図形の描画位置を決定し、前記描画位置に前記状態図形を描画することを特徴とする、請求項１〜５の何れか一項に記載のコンピュータ。
【請求項７】
前記描画部は、測定時間順に予め配置された描画位置に基づいて前記状態図形の描画位置を決定し、描画することを特徴とする、請求項６に記載のコンピュータ。
【請求項８】
前記描画部は、最も古い測定時間に対応する状態図形の描画位置の近傍に配置された、前記状態図形とは異なる第２の図形を描画することを特徴とする、請求項７に記載のコンピュータ。
【請求項９】
前記描画部は、複数の前記状態図形をループ状に描画することを特徴とする、請求項７に記載のコンピュータ。
【請求項１０】
前記描画部は、第１の測定期間に属する１つの描画位置と、前記第１の測定期間に属し前記１つの描画位置に隣接する他の描画位置との間に、前記第１の測定期間とは異なる第２の測定期間に属する状態図形を描画することを特徴とする、請求項９に記載のコンピュータ。
【請求項１１】
前記描画部は、所定の測定期間に対応する複数個の前記状態図形が構成する集合図形と、前記所定の期間と異なる所定の期間に対応する集合図形とが同時に表示されるよう描画することを特徴とする、請求項７〜１０の何れか一項に記載のコンピュータ。
【請求項１２】
コンピュータが自律神経の状態を表示する方法であって、
ユーザの生体情報の測定結果に基づいて算出される、自律神経の働きを示す働き指標の値とバランスを示すバランス指標の値とを取得し、
前記働き指標の値に基づいて前記測定結果に対応する状態図形の大きさを決定し、
前記バランス指標の値に基づいて、前記バランス指標が悪いバランスを示すほど凹凸度が高くなるよう前記状態図形の外形形状を決定し、
前記大きさと前記外形形状とに基づいて前記状態図形を描画し、
描画された画像を表示する、
ことを特徴とする自律神経の状態表示方法。
【請求項１３】
コンピュータの制御プログラムであって、
ユーザの生体情報の測定結果に基づいて算出される、自律神経の働きを示す働き指標の値とバランスを示すバランス指標の値とを取得し、
前記働き指標の値に基づいて前記測定結果に対応する状態図形の大きさを決定し、
前記バランス指標の値に基づいて、前記バランス指標が悪いバランスを示すほど凹凸度が高くなるよう前記状態図形の外形形状を決定し、
前記大きさと前記外形形状とに基づいて前記状態図形を描画し、
描画された画像を表示する、
ことを前記コンピュータに実行させることを特徴とする制御プログラム。
【発明の詳細な説明】
【技術分野】
【０００１】
本発明は、自律神経の状態を表示するコンピュータ、表示方法及びコンピュータの制御プログラムに関する。
【背景技術】
【０００２】
近年、人間の自律神経の状態を測定し、表示するための機器が普及しつつある。
【０００３】
例えば、特許文献１には、自律神経の状態を示す画像を表示する画像表示装置が開示されている。この画像表示装置は、自律神経の活動強度に応じた大きさの図形を、一端側に交感神経の優位度が設定され、他端側に副交感神経の優位度が設定された軸に沿い、かつ、交感神経及び副交感神経の優位度に応じた位置に表示する。これにより、自律神経の状態を把握しやすくするものである。
【先行技術文献】
【特許文献】
【０００４】
【特許文献１】特開２０１３−２２０２４４号公報
【発明の概要】
【発明が解決しようとする課題】
【０００５】
しかしながら、特許文献１に開示された画像表示装置では、図形の位置により交感神経及び副交感神経の優位度（自律神経のバランス）を表現する。このため、一端側、他端側のどちらが交感神経の優位度に対応するかを認識することが必要であり、自律神経のバランスの直観的な把握は必ずしも容易とは言えなかった。
【０００６】
本発明は、このような従来の課題を解決すべくなされたものであり、自律神経の働き及びバランスを直観的に把握可能なコンピュータ、表示方法及びコンピュータの制御プログラムを提供することを目的とする。
【課題を解決するための手段】
【０００７】
本発明に係るコンピュータは、ユーザの生体情報の測定結果に基づいて算出される、自律神経の働きを示す働き指標の値とバランスを示すバランス指標の値とを取得する指標取得部と、前記働き指標の値に基づいて前記測定結果に対応する状態図形の大きさを決定する大きさ決定部と、前記バランス指標の値に基づいて前記状態図形の外形形状の凹凸度を決定する外形形状決定部と、前記大きさと前記外形形状とに基づいて前記状態図形を描画する描画部と、前記描画部が描画した画像を表示する表示部と、を有し、前記外形形状決定部は、前記バランス指標が悪いバランスを示すほど凹凸度が高くなるよう前記外形形状を決定する。
【０００８】
本発明に係るコンピュータが自律神経の状態を表示する方法は、ユーザの生体情報の測定結果に基づいて算出される、自律神経の働きを示す働き指標の値とバランスを示すバランス指標の値とを取得し、前記働き指標の値に基づいて前記測定結果に対応する状態図形の大きさを決定し、前記バランス指標の値に基づいて、前記バランス指標が悪いバランスを示すほど凹凸度が高くなるよう前記状態図形の外形形状を決定し、前記大きさと前記外形形状とに基づいて前記状態図形を描画し、描画された画像を表示する。
【０００９】
本発明に係るコンピュータの制御プログラムは、ユーザの生体情報の測定結果に基づいて算出される、自律神経の働きを示す働き指標の値とバランスを示すバランス指標の値とを取得し、前記働き指標の値に基づいて前記測定結果に対応する状態図形の大きさを決定し、前記バランス指標の値に基づいて、前記バランス指標が悪いバランスを示すほど凹凸度が高くなるよう前記状態図形の外形形状を決定し、前記大きさと前記外形形状とに基づいて前記状態図形を描画し、描画された画像を表示する、ことを前記コンピュータに実行させる。
【発明の効果】
【００１０】
本発明に係るコンピュータ、表示方法及びコンピュータの制御プログラムにおいて、コンピュータは、働き指標の値に基づいて測定結果に対応する状態図形の大きさを決定し、バランス指標の値に基づいて状態図形の外形形状を決定する。これにより、ユーザは自律神経の状態を一見して理解することが可能となる。
【００１１】
また、外形形状決定部は、バランス指標が悪いバランスを示すほど凹凸度が高くなるよう外形形状を決定する。これにより、表示方法について説明を受けなくても、ユーザは自律神経のバランスを直観的に把握することが可能となる。
【図面の簡単な説明】
【００１２】
【図１】自律神経の状態表示システム１における処理概要の一例を示す図である。
【図２】自律神経の状態表示システム１の概略構成の一例を示す図である。
【図３】状態図形の表示処理の一例を示すシーケンス図である。
【図４】状態図形の大きさの決定方法の一例を示す図である。
【図５】（ａ）は状態図形の外形形状の一例を示す図であり、（ｂ）はバランス指標の値ｂと状態図形の外形形状との関係の一例を示す図である。
【図６】集合図形の表示処理の一例を示すフローチャートである。
【図７】（ａ）は集合図形における状態図形の描画位置の一例を示す図であり、（ｂ）は表示された集合図形の一例を示す図である。
【図８】（ａ）は集合図形における状態図形の描画位置の他の一例を示す図であり、（ｂ）は表示された集合図形の一例を示す図である。
【図９】集合図形における状態図形の描画位置の他の一例を示す図である。
【図１０】（ａ）は集合図形における状態図形の描画位置の他の一例を示す図であり、（ｂ）は表示された集合図形の一例を示す図である。
【図１１】集合図形を複数個表示する画面の一例を示す図である。
【発明を実施するための形態】
【００１３】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１４】
図１は、自律神経の状態表示システム１における処理概要の一例を示す図である。
【００１５】
ユーザの心電、脈波などの情報に基づいて、コンピュータは、自律神経の働きを示す指標の値と、自律神経のバランスを示す指標の値とを取得する。自律神経の働きを示す指標とは、自律神経機能全体の働きを示す指標であり、自律神経のバランスを示す指標とは、交感神経と副交感神経とのバランスを示す指標である。以下、自律神経の働きを示す指標を働き指標と呼び、自律神経のバランスを示す指標をバランス指標と呼ぶ。それぞれの指標の詳細については後述する。
【００１６】
コンピュータは、自律神経の状態を所定の図形で表現し、働き指標の値に基づいてその図形の大きさを決定し、バランス指標の値に基づいて同じ図形の外形形状の凹凸度を決定する。この自律神経の状態を表現する図形を、状態図形と呼ぶ。凹凸度とは、図形の外形形状のでこぼこの度合いを示すものであり、凹凸度が高いほど図形がでこぼこしていることを示す。例えば、状態図形の凹凸の組の数が増えることは、凹凸度を高くする方向に働く。また、状態図形の凹部の最もへこんだ部分と凸部の最も突出した部分との距離（図形の中心から外側へ向かう距離）を長くすることは、凹凸度を高くする方向に働く。ここでコンピュータは、バランス指標が自律神経の悪いバランスを示すほど凹凸度が高くなる、すなわち状態図形がでこぼこするように、バランス指標と凹凸度とを対応づける。そして、コンピュータは、決定した凹凸度に基づいて状態図形の外形形状を決定する。
【００１７】
次にコンピュータは、決定した大きさと外形形状とに基づいて図形を描画し、表示する。以上により、自律神経の状態の表示処理は終了する。
【００１８】
図２は、自律神経の状態表示システム１の概略構成の一例を示す図である。
【００１９】
自律神経の状態表示システム１は、コンピュータ２と測定器３とを有する。
【００２０】
コンピュータ２は、例えば多機能携帯電話（いわゆる「スマートフォン」）であり、近距離無線通信、所定のアプリケーションプログラムの実行等が可能である。そのために、コンピュータ２は、近距離通信部２１０と、記憶部２２０と、操作部２３０と、表示部２４０と、処理部２５０とを備える。なお、コンピュータ２は、通信機能を有する演算装置であればよく、例えば携帯情報端末（Personal Digital Assistant, PDA）、携帯ゲーム機、携帯音楽プレーヤ、タブレットＰＣ等でもよい。
【００２１】
近距離通信部２１０は、Ｂｌｕｅｔｏｏｔｈ  ＬＥ（Low Energy）（登録商標）等の通信方式に従った近距離無線通信を行うためのインターフェース回路を有し、測定器３との間で近距離無線通信を行う。そして、近距離通信部２１０は、測定器３から受信したデータを処理部２５０に供給する。また、近距離通信部２１０は、処理部２５０から供給されたデータを測定器３に送信する。なお、近距離通信部２１０は、Ｗｉ−Ｆｉ、Ｂｌｕｅｔｏｏｔｈ（登録商標）、ＲＦＩＤ（Radio Frequency IDentification）、ＺｉｇＢｅｅ等の他の通信方式に従った近距離無線通信を行うためのインターフェース回路を有してもよい。
【００２２】
記憶部２２０は、例えば、半導体メモリを有する。記憶部２２０は、処理部２１０での処理に用いられるドライバプログラム、オペレーティングシステムプログラム、アプリケーションプログラム、データ等を記憶する。例えば、記憶部２２０は、ドライバプログラムとして、近距離通信部２１０を制御する近距離無線通信デバイスドライバプログラム、操作部２３０を制御する入力デバイスドライバプログラム、表示部２４０を制御する出力デバイスドライバプログラム等を記憶する。また、記憶部２２０は、オペレーティングシステムプログラムとして、Ｂｌｕｅｔｏｏｔｈ  ＬＥ（登録商標）規格の近距離無線通信方式を実行する接続制御プログラム、携帯電話の接続制御プログラム等を記憶する。また、記憶部２２０は、アプリケーションプログラムとして、自律神経の状態の指標データの取得及び表示を行うプログラム等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて記憶部２２０にインストールされてもよい。
【００２３】
操作部２３０は、コンピュータ２の操作が可能であればどのようなデバイスでもよく、例えば、タッチパネル式の入力装置、キーパッド等である。ユーザは、このデバイスを用いて、文字、数字等を入力したり、メニューを選択したりすることが可能である。操作部２３０は、ユーザの指示を受け付け、受け付けた指示に対応する信号を発生し、処理部２５０に出力する。
【００２４】
表示部２４０は、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部２４０は、処理部２５０から供給される動画像データに応じた動画像、静止画像データに応じた静止画像等を表示する。
【００２５】
処理部２５０は、一又は複数個のプロセッサ及びその周辺回路を有する。処理部２５０は、コンピュータ２の全体的な動作を統括的に制御するものであり、例えば、ＣＰＵ（Central Processing Unit）である。処理部２５０は、コンピュータ２の各種処理が記憶部２０５に記憶されているプログラム、操作部２３０の操作等に応じて適切な手順で実行されるように、近距離通信部２１０、表示部２４０等の動作を制御する。処理部２５０は、記憶部２２０に記憶されているプログラム（ドライバプログラム、オペレーティングシステムプログラム、アプリケーションプログラム等）に基づいて処理を実行する。また、処理部２５０は、複数のプログラム（アプリケーションプログラム等）を並列に実行することが可能である。
【００２６】
処理部２５０は、指標取得部２５１と、大きさ決定部２５２と、形状決定部２５３と、変化決定部２５４と、描画部２５５とを有する。処理部２５０が有するこれらの各部は、処理部２５０が有するプロセッサ上で実行されるプログラムによって実装される機能モジュールである。あるいは、処理部２５０が有するこれらの各部は、独立した集積回路、マイクロプロセッサ、又はファームウェアとしてコンピュータ２に実装されてもよい。
【００２７】
測定器３は、生体情報測定器の一例であり、コンピュータ２からの命令に従って生体情報の測定を開始し、コンピュータ２へ測定結果に基づく自律神経の状態の指標の値を送信する。そのために、測定器３は、測定器近距離通信部３１０と、測定器記憶部３２０と、センサ部３３０と、測定器処理部３４０とを備える。
【００２８】
測定器近距離通信部３１０は、Ｂｌｕｅｔｏｏｔｈ  ＬＥ（Low Energy）（登録商標）等の通信方式に従った近距離無線通信を行うためのインターフェース回路を有し、コンピュータ２との間で近距離無線通信を行う。そして、測定器近距離通信部３１０は、コンピュータ２から受信したデータを測定器処理部３４０に供給する。また、測定器近距離通信部３１０は、測定器処理部３４０から供給されたデータをコンピュータ２に送信する。なお、測定器近距離通信部３１０は、Ｂｌｕｅｔｏｏｔｈ（登録商標）、ＲＦＩＤ（Radio Frequency IDentification）、ＺｉｇＢｅｅ等の他の通信方式に従った近距離無線通信を行うためのインターフェース回路を有してもよい。
【００２９】
測定器記憶部３２０は、例えば、半導体メモリを有する。測定器記憶部３２０は、測定器処理部３４０での処理に用いられるドライバプログラム、オペレーティングシステムプログラム、アプリケーションプログラム、データ等を記憶する。例えば、測定器記憶部３２０は、ドライバプログラムとして、測定器近距離通信部３１０を制御する近距離無線通信デバイスドライバプログラム、センサ部３３０を制御する入力デバイスドライバプログラム等を記憶する。また、測定器記憶部３２０は、オペレーティングシステムプログラムとして、Ｂｌｕｅｔｏｏｔｈ  ＬＥ（登録商標）規格の近距離無線通信方式を実行する接続制御プログラム、携帯電話の接続制御プログラム等を記憶する。また、測定器記憶部３２０は、アプリケーションプログラムとして、自律神経の状態の指標データの取得及び表示を行うプログラム等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて測定器記憶部３２０にインストールされてもよい。
【００３０】
センサ部３３０は、ユーザの心電や脈波等を測定するセンサであり、例えば、心電を測定する電極、脈波を測定する光センサを含む。そして、センサ部３３０は、測定した心電、脈波等のデータを測定器処理部３４０に供給する。
【００３１】
測定器処理部３４０は、一又は複数個のプロセッサ及びその周辺回路を有する。測定器処理部３４０は、測定器３の全体的な動作を統括的に制御するものであり、例えば、ＣＰＵである。測定器処理部３４０は、測定器３の各種処理が測定器記憶部３２０に記憶されているプログラム等に応じて適切な手順で実行されるように、測定器近距離通信部３１０等の動作を制御する。測定器処理部３４０は、測定器記憶部３２０に記憶されているプログラム（ドライバプログラム、オペレーティングシステムプログラム、アプリケーションプログラム等）に基づいて処理を実行する。また、測定器処理部３４０は、複数のプログラム（アプリケーションプログラム等）を並列に実行することが可能である。
【００３２】
また、測定器処理部３４０は、生体信号測定部３４１、指標算出部３４２、指標送信部３４３等を有する。測定器処理部３４０が有するこれらの各部は、測定器処理部３４０が有するプロセッサ上で実行されるプログラムによって実装される機能モジュールである。あるいは、測定器処理部３４０が有するこれらの各部は、独立した集積回路、マイクロプロセッサ、又はファームウェアとして測定器３に実装されてもよい。
【００３３】
図３は、状態図形の表示処理の一例を示すシーケンス図である。
【００３４】
以下に説明する動作シーケンスは、各装置において予め各装置の記憶部に記憶されているプログラムに基づき主に各装置の制御部により各装置の各要素と協働して実行される。
【００３５】
最初に、コンピュータ２の指標取得部２５１は、操作部２３０を用いたユーザの指示に従って、近距離通信部２１０を介して生体情報の測定開始要求を測定器３へ送信する（ステップＳ１０１）。
【００３６】
次に、測定器３の生体信号測定部３４１は、測定器近距離通信部３１０を介してコンピュータ２から生体情報の測定開始要求を受信すると、センサ部３３０を用いてユーザの生体情報を測定する（ステップＳ１０２）。この例では、生体信号測定部３４１は心電と脈波とを測定するものとする。
【００３７】
次に、指標算出部３４２は、生体信号測定部３４１の測定した生体信号に基づいて、自律神経の状態を示す指標の値を算出する（ステップＳ１０３）。
【００３８】
例えば、指標算出部３４２は、心電の測定結果から心拍周期を求め、心拍周期の揺らぎを周波数解析する。指標算出部３４２は、この周波数解析から得られるパワー値を周波数帯０．０４〜０．１５Ｈｚで積分する。この積分値をＬＦ（Low Frequency）と呼び、ＬＦには主に交感神経成分が含まれる。また、指標算出部３４２は、パワー値を周波数帯０．１５〜０．４Ｈｚで積分する。この積分値をＨＦ（High Frequency）と呼び、ＨＦには副交感神経成分が含まれる。
【００３９】
指標算出部３４２は、例えば、働き指標（ＴＰ、Total Power）＝ＬＦ＋ＨＦという式により働き指標の値を算出し、バランス指標＝ＬＦ／ＨＦという式によりバランス指標の値を算出する。なお、バランス指標、すなわちＬＦ／ＨＦの値が大きくなることを、自律神経のバランスが悪くなるという。また、指標算出部３４２は、心電の測定結果をうまく取得できない場合に、その測定結果を補完するために脈波の測定結果を用いても良い。また、上記働き指標およびバランス指標の算出は心電の測定結果に基づくものに限られず、体温、呼吸、脳波など自律神経の活動に関連がある生体信号を用いて算出してもよい。
【００４０】
次に、指標送信部３４３は、測定器近距離通信部３１０を介して、指標算出部３４２が算出した働き指標の値とバランス指標の値とをコンピュータ２に送信する（ステップＳ１０４）。
【００４１】
次に、コンピュータ２の指標取得部２５１は、近距離通信部２１０を介して測定器３から働き指標の値とバランス指標の値とを受信し、受信した日付と対応付けてこれらの指標の値をデータとして記憶部２２０に記憶する（ステップＳ１０５）。なお、ここでは測定器３が働き指標の値、バランス指標の値を算出しコンピュータ２に送信する例について記載したが、測定器３がＬＦ、ＨＦの値をコンピュータ２に送信し、コンピュータ２が働き指標の値又はバランス指標の値を算出しても良い。また、測定器３が心電、脈波のデータをコンピュータ２に送信し、コンピュータがＬＦ、ＨＦ、働き指標、バランス指標の各値を算出しても良い。
【００４２】
次に、大きさ決定部２５２は、働き指標の値に基づいて状態図形の大きさを決定する（ステップＳ１０６）。
【００４３】
図４は、状態図形の大きさの決定方法の一例を示す図である。この例では、状態図形を作成するための元となる基本図形は円形とし、基本図形の大きさａは円の直径を表す。また、基本図形の大きさａ＝状態図形を表示可能な画面領域の大きさ×０．２とする。また、状態図形の大きさ＝基本図形の大きさａ×｛働き指標（ＴＰ）の値の整数部分／４００｝とする。この式より、働き指標の値が大きくなるほど、図形の大きさも大きくなることがわかる。仮に働き指標の値の整数部分が１２００であれば、状態図形の大きさ＝ａ×（１２００／４００）＝３ａとなる。なお、大きさの単位としてピクセル数を用いることが可能である。
【００４４】
図３に戻って、ステップＳ１０６において、大きさ決定部２５２は、記憶部２２０が記憶する基本図形の大きさ（図４の例ではａ）と、指標取得部２５１が取得した働き指標の値とを図４で示した数式に入力し、状態図形の大きさを決定する。なお、状態図形の大きさの決定方法はこれに限らず、例えば、「働き指標の値が８００以上１２００未満であれば、状態図形の大きさは２００ピクセルとする」等の条件によって決定してもよい。
【００４５】
次に、形状決定部２５３は、バランス指標の値に基づいて状態図形の外形形状を決定する（ステップＳ１０７）。
【００４６】
図５（ａ）は、状態図形の外形形状の決定方法の一例を示す図である。この例では、状態図形を作成するための元となる基本図形は円形である。そして、円と円の中心を通る直線との交点４０１が凸部４０２になるように、交点４０１と交点４０１に隣接する交点とを結ぶ円弧の中点４０３を円の中心に近づけて状態図形の外形形状を定める。図５（ａ）は、円の中心を通る直線は４本、交点は８つの例である。ただし、図の視認性を高めるため、円の中心を通る直線は２本のみ記載している。図から分かる通り、円の中心を通る直線の数を増やすことにより、交点４０１、すなわち状態図形の凸部４０２の数を増やすことが可能である。また、円弧の中点４０３を円の中心に近づけることにより、１つ１つの凸部４０２の内角の角度θをより鋭角にすることが可能である。
【００４７】
図５（ｂ）は、バランス指標の値ｂと状態図形の外形形状との関係の一例を示す図である。この例では、ｂの範囲に応じた状態図形の形状を予め定めている。例えば、ｂが０を超え１．０以下である場合、状態図形は円形であり凸部及び凹部を持たない。すなわち、状態図形は凹凸がなく、刺々しさもない図形である。ｂが１．０を超え２．０以下である場合、状態図形は８個の凸部と８個の凹部を持ち、かつ凸部の内角の角度θ＝９０度の図形である。図５（ｂ）中の状態図形の形状から分かる通り、バランス指標の値ｂが大きくなるほど、状態図形の凸部及び凹部の数は増え、凸部の内角の角度θはより鋭角になり、図形がでこぼこに、かつ刺々しくなる。すなわち、バランス指標が自律神経の悪いバランスを示すほど凹凸度及び苛辣性が高くなるように、バランス指標と状態図形の外形形状とが対応づけられている。
【００４８】
ここで苛辣性とは、いわゆる刺々しさを示す性質であり、苛辣性が高いほど図形が刺々しいことを示す。例えば、苛辣性が高くなるほど、状態図形の凸部の内角の角度はより鋭角になる。すなわち、苛辣性が高くなるほど、状態図形の凸部の内角の角度はより小さくなる。
【００４９】
図３に戻って、形状決定部２５３は、図５（ｂ）に示すルールに従って、バランス指標の値ｂに基づいて状態図形の外形形状を決定する。なお、図５（ｂ）の例では凸部が状態図形の周囲に万遍なく配置されているが、凸部の配置はこれに限らず、状態図形の一部、例えば状態図形の上半分にだけ凸部を配置しても良い。また、図５（ｂ）の例では状態図形の凸部の数を増やすと凸部の内角の角度がより鋭角になるが、凸部の数と角度とは独立に設定できる。例えば凸部の数を変えずに凸部の内角の角度をより鋭角にする外形形状を用いても良い。また、図５（ｂ）の例では状態図形の凸部の内角の角度はすべての凸部について同じであるが、一部の凸部の内角の角度が異なっていても良い。また、図５（ｂ）の例では、バランス指標の値ｂが１．０を超える場合の状態図形の外形形状はすべて直線で構成されているが、外形形状の一部、あるいは全部が曲線で構成されていても良い。
【００５０】
次に、変化決定部２５４は、バランス指標の値に基づいて状態図形の表示の変化について決定する（ステップＳ１０８）。
【００５１】
図５（ｂ）には、バランス指標の値ｂと、状態図形の表示の変化の一例である点滅との関係も記載されている。ｂが０を超え１．０以下である場合、状態図形の点滅は１回／秒である。ｂが１．０を超え２．０以下である場合、状態図形の点滅は２回／秒である。他のバランス指標の値についても、バランス指標が自律神経の悪いバランスを示すほど時間当たりの点滅数が多くなるように、バランス指標と点滅の頻度とが対応づけられている。
【００５２】
図３に戻って、変化決定部２５４は、図５（ｂ）に示すルールに従って、バランス指標の値ｂに基づいて状態図形の点滅の頻度を決定する。なお、変化決定部により決定する変化の内容は、状態図形の明るさの変化、色の変化等であってもよい。また、ステップＳ１０６〜Ｓ１０８の処理は、順序を入れ替えて実行されても、並列に実行されてもよい。
【００５３】
次に、描画部２５５は、ステップＳ１０６〜Ｓ１０８で決定した状態図形の大きさ、外形形状、表示の変化と、記憶部２２０が記憶する状態図形の描画位置とに基づいて、状態図形の画像を描画する（ステップＳ１０９）。
【００５４】
次に、描画部２５５は、描画された画像を表示部２４０に表示する（ステップＳ１１０）。以上により、状態図形の表示処理は終了する。
【００５５】
ここまで、１回の測定結果を表現する状態図形を表示する方法について示したが、ある期間に含まれる複数個の状態図形をまとめて表示することも可能である。その例を以下に示す。
【００５６】
図６は、集合図形の表示処理の一例を示すフローチャートである。集合図形とは、複数個の状態図形が集合して構成される図形である。
【００５７】
最初に、ユーザはコンピュータ２の操作部２３０を操作して、集合図形を表示する対象の月を入力する（ステップＳ２０１）。処理部２５０は、操作部２３０への入力に基づいて、表示対象の月を決定し、処理対象としてその月の初日を選択する（ステップＳ２０２）。次に処理部２５０は、記憶部２２０がステップＳ１０５で記憶した働き指標及びバランス指標のデータの中に、その日付に対応するデータが有るか否かを検索する（ステップＳ２０３）。
【００５８】
その日付に対応するデータが有る場合（ステップＳ２０４で「Ｙ」の場合）、大きさ決定部２５２、形状決定部２５３、変化決定部２５４は、その日付に対応する状態図形の大きさ、外形形状、表示の変化をそれぞれ決定する（ステップＳ２０５）。この処理はステップＳ１０６〜Ｓ１０８の方法に従って実行される。
【００５９】
次に、描画部２５５は、記憶部２２０が記憶する状態図形の描画位置に基づいて、状態図形の描画位置を決定する（ステップＳ２０６）。
【００６０】
図７（ａ）は、集合図形における状態図形の描画位置の一例を示す図である。この図は、記憶部２２０が記憶する状態図形の描画位置のデータを、絵で表現したものである。ここではブドウの房を模したレイアウトを有する集合図形の例を示す。ブドウの房全体で表示期間である１日〜３１日の１か月分の状態図形を表示し、数字が記載された円は、その月の日付に対応する状態図形が描画される位置を示す。すなわち、描画位置のデータは、測定日付とその測定日付に対応する状態図形の描画位置とを対応付けている。この例においては、最上段において左から右に向かって１日〜４日、次の段に５日〜１０日の状態図形が配置され、一番下に３１日の状態図形が配置されることを示している。すなわち、状態図形の描画位置は、状態図形に対応するユーザの生体情報の測定時点の時間順に予め配置されている。
【００６１】
描画位置のデータは、状態図形の描画位置と共に、状態図形とは異なる第２の図形の描画位置についても定めることが可能である。図７（ａ）上部のＴ字型の図形は第２の図形の一例であり、ブドウの房の根元を模した図形である。Ｔ字型の図形は、最も新しい測定時間（測定日）である３１日の状態図形よりも、最も古い測定時間（測定日）である１日の状態図形の近傍に配置されている。
【００６２】
図６に戻って、ステップＳ２０６において、描画部２５５は、図７（ａ）に示したデータから現在処理している状態図形に対応する日付を探し、状態図形の中心の描画位置をその日付に対応する状態図形の描画位置を示す円の中心に決定する。
【００６３】
描画部２５５は、ステップＳ２０５で決定した状態図形の大きさ、外形形状、表示の変化と、ステップＳ２０６で決定した状態図形の描画位置とに基づいて、状態図形を描画する（ステップＳ２０７）。
【００６４】
ステップＳ２０４でその日付に対応するデータが無い場合（ステップＳ２０４で「Ｎ」の場合）、ステップＳ２０５〜Ｓ２０７の処理はスキップされる。すなわち、描画部２５５はその日付に対応する状態図形の描画を行わない。
【００６５】
処理部２５０は、ステップＳ２０３〜Ｓ２０６の処理対象の日付が、ステップＳ２０１で入力された表示月の最終日か否かを判断する（ステップＳ２０８）。日付が最終日ではない場合（ステップＳ２０８で「Ｎ」）、処理部２５０は日付を翌日に進めて（ステップＳ２０９）、ステップＳ２０３〜Ｓ２０８の処理を繰り返す。日付が最終日の場合（ステップＳ２０８で「Ｙ」）、描画部２５５は、第２の図形を描画し（ステップＳ２１０）、描画した集合図形及び第２の図形を表示部２４０に表示する（ステップＳ２１１）。以上により、集合図形の表示処理は終了する。
【００６６】
図７（ｂ）は、表示された集合図形の一例を示す図である。この図は図６に示す手順に従って作成されたものであり、３月分の表示について３月１０日に作成した集合図形を想定している。２日と５日は生体情報の測定を行わなかったため、２日、５日に対応する状態図形は表示されていない。また、まだ測定されていない１１日〜３１日に対応する状態図形は表示されていない。また、働き指標については、３日は１日、４日等より大きな円のため自律神経の働きがより強く、６日は１日、４日等より小さな円のため自律神経の働きがより弱いことがわかる。さらに、バランス指標については、状態図形の凸部が最も鋭角である７日が最も自律神経のバランスが悪く、次いで１０日が悪いことを、この図は示している。
【００６７】
また、表示期間のうち最も古い測定日である１日に対応する描画位置を、３１日等に対応する描画位置より第２の図形の近くに配置している。このため、図７（ｂ）のように集合図形の対象期間（この例では３月１日〜３月３１日）の途中で表示した場合でも、第２の図形の近くから順々に図形が完成していく印象を与えることが可能である。
【００６８】
図８（ａ）は、集合図形における状態図形の描画位置の他の一例を示す図である。ここではひまわりの花を模した集合図形の例を示す。この例においては、ひまわりの花全体で表示期間である１日〜３１日の１か月分の状態図形を表示し、数字が記載された花びらは、その日付に対応する状態図形が描画される位置を示す。働き指標の値は、ひまわりの花の中心から放射状に延びる方向の花びらの長さに反映され、働き指標の値が大きい（自律神経の働きが強い）ほど、花びらの長さは長くなる。バランス指標の値は、花びら先端の凸部の内角の角度に反映され、バランス指標の値が大きい（自律神経のバランスが悪い）ほど、凸部の内角の角度がより鋭角になる。
【００６９】
図８（ａ）の例においては、３２枚の花びらが設けられ、上方から右回りに月の前半の測定期間である１日〜１５日の状態図形が配置される。スペースの調整のため、１日と１５日との間には、特定の一日と１：１に対応しない花びら（◆印の付いた図形）が配置される。そして、月の後半の測定期間である１６日〜３１日についても上方から右回りに表示されるが、１日と、１日に隣接する２日との間に１６日の状態図形の描画位置が配置される。１７日以降は同様に表示され、最後に◆印の付いた図形と１日の状態図形との間に、月末である３１日の状態図形が配置される。
【００７０】
すなわち、表示期間の一部である前半、後半のそれぞれにおいて、状態図形の描画位置はループ状に配置される。表示期間の一部だけでループ状に状態図形が表示されることにより、表示期間のすべてが経過しなくても、ユーザは集合図形の完成形を想像することが容易になる。
【００７１】
図８（ｂ）は、表示された集合図形の一例を示す図である。この図は図８（ａ）の描画位置に基づいて作成した集合図形であり、３月分の表示について３月２９日に作成した集合図形を想定している。１０日は生体情報の測定が行われなかったため、１０日に対応する状態図形は表示されていない。また、生体情報がまだ測定されていない２９日〜３１日に対応する状態図形は表示されていない。また、働き指標については、７日、１１日、１９日の状態図形はその他の日の状態図形より大きく、自律神経の働きが他の日より強くなっていることがわかる。さらに、バランス指標については、状態図形の凸部の角度が最も鋭角である１１日が最も自律神経のバランスが悪く、次いで１９日が悪いことを、この図は示している。
【００７２】
図９は、集合図形における状態図形の描画位置の他の一例を示す図である。図８と同様に、ひまわりの花を模したレイアウトを持つ集合図形の例を示す。但しこの例においては、月の前半と後半でそれぞれ花一輪ずつを用い、一輪の花におけるループは１周である点が、図８の例とは異なる。
【００７３】
図９の例は４月等の１か月が３０日の場合の例であるため、月の後半の１６日と３０日との間にも、◆印の付いたスペース調整用の図形（花びら）が配置される。
【００７４】
なお、図８、図９いずれの例においても、描画部２５５は、◆印の付いた図形を、他の状態図形の表示状況とは無関係に表示することが可能である。例えば、月初めの１日において、当日の測定結果が存在しない状態でも、描画部２５５は、◆印の付いた図形を表示することが可能である。
【００７５】
また、描画部２５５は、対象の月の状態図形が少なくとも１つ表示されることを条件として、◆印の付いた図形を表示するよう動作しても良い。
【００７６】
また、描画部２５５は、◆印の付いた図形が属する表示期間の測定結果がすべて存在することを条件として、◆印の付いた図形を表示するように動作しても良い。この場合の表示期間は、図９の月の前半の例であれば１日〜１５日、月の後半の例であれば１６日〜３０日を指し、図１０の例であれば１日〜３１日を指す。◆印の付いた図形が表示されることにより、花びらの抜けがなくなりきれいな円形の花に近づくため、毎日の測定に関するユーザのモチベーションが上がることが期待される。
【００７７】
また、◆印の付いた図形の大きさ、外形形状は、所定のものであっても良いし、◆印の付いた図形に隣接する２つの状態図形にそれぞれ対応する、働き指標又はバランス指標の値に基づいて定める値であっても良い。例えば、働き指標の値の平均値を用いて◆印の付いた図形の大きさを決定し、バランス指標の値の平均値を用いて◆印の付いた図形の凸部の内角の角度を決定しても良い。また、◆印の付いた図形の大きさ又は外形形状は、隣接する２つの状態図形だけでなく、表示期間全体の状態図形など複数の状態図形に対応する働き指標又はバランス指標の値に基づいて定める値であっても良い。
【００７８】
図１０（ａ）は、集合図形における状態図形の描画位置の他の一例を示す図である。この図は、図８（ａ）の例において、１日（月初）〜月末のそれぞれに対応する状態図形を上方から右回りに、日付順に配置するよう変更した図である。すなわち、表示期間の前半、後半を分けず、表示期間全体で一周するように、環状に状態図形が配置される。
【００７９】
図８、図９の例とは異なり、この例においては◆印の付いたスペース調整用の図形（花びら）を配置しない。代わりに、各状態図形の描画位置は、表示対象の月の日数に応じて定まる角度に基づいて定められる。この角度は、円形であるひまわりの花の中心をＯ、ある状態図形の所定の位置（この例では凸部の頂点）をＡ、それに隣接する状態図形の所定の位置をＢとした場合、∠ＡＯＢ＝３６０／表示月の日数、という式で求められる。図１０（ａ）は一か月が３１日の月の例であり、ある状態図形とそれに隣接する状態図形とのなす角度は、３６０（度）／３１（日）≒１１．６（度）となる。一か月が３０日の月の場合の角度は、３６０（度）／３０（日）＝１２（度）となり、一か月が２８日の月の場合の角度は、３６０（度）／２８（日）≒１２．９（度）となる。すなわち、一か月に含まれる日数が少ないほど、角度が大きくなる。
【００８０】
図１０（ｂ）は表示された集合図形の一例を示す図である。この図は図１０（ａ）の描画位置に基づいて作成した集合図形であり、３月分の表示について３月２９日に作成した集合図形を想定している。また、その他の条件についても図８（ｂ）と同じ条件を想定した図である。
【００８１】
なお、各状態図形の基本的な大きさは、月の日数にかかわらず同一であっても良いし、月の日数に応じて定めても良い。
【００８２】
また、集合図形を１つではなく、複数個同時に表示することも可能である。その例を以下に示す。
【００８３】
図１１は、集合図形を複数個表示する画面の一例を示す図である。この例は、図６に示す手順で作成した１か月分の集合図形を、１月〜１２月分それぞれについて同じブドウの房のレイアウトで作成し、月順に並べて表示する例である。同じレイアウトで作成された集合図形を複数個同時に表示することにより、ユーザは集合図形の大きさや状態図形間の隙間の有無を比較して、自律神経の働きの月別の違いを直観的に理解することが可能となる。また、ユーザは集合図形を構成する状態図形の外形形状の違いを月別に比較することにより、自律神経のバランスの月別の違いを直観的に理解することが可能となる。
【００８４】
以上説明してきたように、コンピュータ２は、ユーザの生体情報の測定結果に基づいて算出される働き指標の値に基づいて測定結果に対応する状態図形の大きさを決定し、バランス指標の値に基づいて状態図形の外形形状を決定する。これにより、ユーザは自律神経の状態を一見して理解することが可能となる。
【００８５】
また、外形形状決定部２５３は、バランス指標が悪いバランスを示すほど凹凸度が高くなるよう外形形状を決定する。これにより、表示方法について説明を受けなくても、ユーザは自律神経のバランスを直観的に把握することが可能となる。
【００８６】
また、バランス指標の値が小さいほど自律神経のバランスがより良いことを示す場合、前記外形形状決定部は、前記バランス指標の値と負の相関を有するよう前記状態図形の外形形状における凸部の内角の角度を決定する。したがって、ユーザはバランス指標の値をより直観的に理解することが可能となる。
【００８７】
また、コンピュータ２は、状態図形の表示の変化を決定する変化決定部２５４をさらに有し、変化決定部２５４は、バランス指標の値と正の相関を有するよう表示の変化の頻度を決定し、描画部２５５は、変化決定部２５４の決定する表示の変化の内容に基づいて状態図形を描画する。したがって、自律神経のバランスが悪化するほど表示の変化の頻度が増加するため、ユーザはバランス指標の値をより直観的に理解することが可能となる。
【００８８】
また、働き指標の値が大きいほど自律神経の働きがより強いことを示す場合、外形形状決定部２５３は、働き指標の値と正の相関を有するよう状態図形の大きさを決定する。したがって、ユーザは働き指標の値を直観的に理解することが可能となる。
【００８９】
また、描画部２５５は、測定時間順に予め配置された描画位置に基づいて状態図形の描画位置を決定し、描画する。したがって、描画位置が予め配置されていることから、ユーザは測定期間全体にわたる表示イメージに基づいて、実際の測定結果に基づく自律神経の状態を理解することが可能となる。
【００９０】
また、描画部２５５は、最も古い測定時間に対応する状態図形の描画位置の近傍に配置された、状態図形とは異なる第２の図形を描画する。したがって、第２の図形の近くから順々に図形が完成していく印象を与えることが可能である。
【００９１】
また、描画部２５５は、所定の測定期間に対応する複数個の状態図形が構成する集合図形と、その所定の期間と異なる所定の期間に対応する集合図形とが同時に表示されるよう描画する。したがって、ユーザは自律神経の働き指標の測定期間別の違いを直観的に理解することが可能である。
【００９２】
なお、本発明は、本実施形態に限定されるものではない。例えば、本実施形態では、コンピュータ２と測定器３とが別々の物である例について説明したが、コンピュータ２が測定器３の機能を有し、コンピュータ２と測定器３とが１つの機器として実装されてもよい。
【００９３】
また、本実施形態では、コンピュータ２が状態図形の大きさ、外形形状を決定し、状態図形の描画と表示とを行う例について説明したが、例えば描画データを静止画像データや動画像データの形式等で他の電子機器に送信してもよい。これにより、コンピュータ２とは異なる電子機器で状態図形を表示することが可能となる。
【００９４】
また、本実施形態では、状態図形は１日単位、集合図形は１か月単位で表示する例について説明したが、例えば状態図形は１時間単位、集合図形は１日単位など、別の単位で表示しても良い。
【００９５】
当業者は、本発明の精神及び範囲から外れることなく、様々な変更、置換及び修正をこれに加えることが可能であることを理解されたい。
【符号の説明】
【００９６】
２    コンピュータ
２４０    表示部
２５１    指標取得部
２５２    大きさ決定部
２５３    外形形状決定部
２５４    変化決定部
２５５    描画部
【図１】
0006698437.tif 000002
【図２】
0006698437.tif 000003
【図３】
0006698437.tif 000004
【図４】
0006698437.tif 000005
【図５】
0006698437.tif 000006
【図６】
0006698437.tif 000007
【図７】
0006698437.tif 000008
【図８】
0006698437.tif 000009
【図９】
0006698437.tif 000010
【図１０】
0006698437.tif 000011
【図１１】
0006698437.tif 000012